(57)【特許請求の範囲】
【請求項１】
安全保障すべき情報（１６）を備えた集合体（１０）であって、
前記安全保障すべき情報（１６）が上に設けられた対象物（２０）と、
該対象物（２０）よりも小さい底面を有し、かつ前記安全保障すべき情報（１６）を覆う安全保障用カバーステッカ（１４）とを包含する集合体（１０）において、
前記対象物（２０）と前記安全保障すべき情報（１６）との間に、前記対象物（２０）に直接的に配置されたインク層（３０）を備え、
前記インク層（３０）の前記カバーステッカ（１４）に対する接着力が、前記インク層（３０）の少なくとも部分的な領域において、前記インク層（３０）の前記対象物（２０）に対する接着力よりも大きいことを特徴とする集合体（１０）。
【請求項２】
前記安全保障すべき情報（１６）が、前インク層（３０）上にインクジェットにより印刷されていることを特徴とする請求項１記載の集合体（１０）。
【請求項３】
前記安全保障すべき情報（１６）が、前記インク層（３０）上に黒色で施されていることを特徴とする請求項１または２記載の集合体（１０）。
【請求項４】
前記安全保障すべき情報（１６）の下方に位置しているインク層（３０）は、単色インク層で形成されていることを特徴とする請求項１−３いずれか１項記載の集合体（１０）。
【請求項５】
前記安全保障すべき情報（１６）の下方に位置しているインク層（３０）が、前記安全保障すべき情報（１６）と色彩を調和せしめられて、前記安全保障すべき情報（１６）とその下方に位置しているインク層（３０）との間に高いコントラストを生じさせていることを特徴とする請求項１−４いずれか１項記載の集合体（１０）。
【請求項６】
前記インク層（３０）の前記カバーステッカ（１４）に対する接着力が、前記インク層（３０）の前記対象物（２０）に対する接着力よりも大きいことを特徴とする請求項１−５いずれか１項記載の集合体（１０）。
【請求項７】
前記インク層（３０）の前記カバーステッカ（１４）に対する接着力が、前記インク層（３０）の前記対象物（２０）に対する接着力よりも大きい領域と、前記インク層（３０）の前記カバーステッカ（１４）に対する接着力が、前記インク層（３０）の前記対象物（２０）に対する接着力よりも小さい領域とが前記付加層に存在することを特徴とする請求項１−６いずれか１項記載の集合体（１０）。
【請求項８】
前記インク層（３０）の前記カバーステッカ（１４）に対する接着力が、前記インク層（３０）の前記対象物（２０）に対する接着力よりも大きい領域と、前記インク層（３０）の前記カバーステッカ（１４）に対する接着力が、前記インク層（３０）の前記対象物（２０）に対する接着力よりも小さい領域とが不規則構造を形成していることを特徴とする請求項７記載の集合体（１０）。
【請求項９】
前記インク層（３０）が前記対象物（２０）上に印刷されたものであることを特徴とする請求項１−８いずれか１項記載の集合体（１０）。
【請求項１０】
前記インク層（３０）がオフセット印刷により前記対象物（２０）上に印刷されたものであることを特徴とする請求項９記載の集合体（１０）。
【請求項１１】
前記安全保障すべき情報（１６）が数列であることを特徴とする請求項１−１０いずれか１項記載の集合体（１０）。
【請求項１２】
前記集合体（１０）が有価書類であることを特徴とする請求項１−１１いずれか１項記載の集合体（１０）。
【請求項１３】
前記カバーステッカ（１４）が接着性ラベルであることを特徴とする請求項１−１２いずれか１項記載の集合体（１０）。
【請求項１４】
前記インク層（３０）が、前記安全保障すべき情報（１６）を含む情報区画（１２）の大きさで前記対象物（２０）上に形成されていることを特徴とする請求項１−１３いずれか１項記載の集合体（１０）。
【請求項１５】
前記カバーステッカ（１４）が前記インク層よりも大きい底面を有することを特徴とする請求項１−１４いずれか１項記載の集合体（１０）。
【請求項１６】
安全保障すべき情報（１６）を備えた集合体（１０）であって、
前記安全保障すべき情報（１６）が上に設けられた対象物（２０）と、
該対象物（２０）よりも小さい底面を有し、かつ前記安全保障すべき情報（１６）を覆う安全保障用カバーステッカ（１４）とを包含する集合体（１０）において、
前記対象物（２０）と前記安全保障すべき情報（１６）との間に配置された付加層（３２）を備え、
該付加層は、前記対象物（２０）上に直接的に配置されたラッカー層（３４）と、該ラッカー層上に配置されたインク層（３６）とを含み、
前記付加層（３２）の前記カバーステッカ（１４）に対する接着力が、前記付加層（３２）の少なくとも部分的な領域において、前記付加層（３２）の前記対象物（２０）に対する接着力よりも大きくなるように、前記ラッカー層が設けられていることを特徴とする集合体（１０）。
【請求項１７】
安全保障すべき情報（１６）を備えた集合体（１０）であって、
前記安全保障すべき情報（１６）が上に設けられた対象物（２０）と、
該対象物（２０）よりも小さい底面を有し、かつ前記安全保障すべき情報（１６）を覆う安全保障用カバーステッカ（１４）とを包含する集合体（１０）において、
前記対象物（２０）と前記安全保障すべき情報（１６）との間に配置された付加層（４２）を備え、
該付加層は、前記対象物（２０）上に直接的に配置された接着促進層（４０）と、該接着促進層上に配置されたインク層（３６）とを含み、
前記付加層（４２）の前記カバーステッカ（１４）に対する接着力が、前記付加層（４２）の少なくとも部分的な領域において、前記付加層（４２）の前記対象物（２０）に対する接着力よりも大きくなるように、前記接着促進層が設けられていることを特徴とする集合体（１０）。
【請求項１８】
安全保障すべき情報（１６）を備えた集合体（１０）であって、
前記安全保障すべき情報（１６）が上に設けられた対象物（２０）と、
該対象物（２０）よりも小さい底面を有し、かつ前記安全保障すべき情報（１６）を覆う安全保障用カバーステッカ（１４）とを包含する集合体（１０）において、
前記対象物（２０）と前記安全保障すべき情報（１６）との間に配置された付加層（４６）を備え、
該付加層は、前記対象物（２０）上に直接的に配置されたラッカー層（３４）と、該ラッカー層上に配置された第２インク層（４４）と、該第２インク層上に配置された第１インク層（３６）とを含み、
前記付加層（４６）の前記カバーステッカ（１４）に対する接着力が、前記付加層（４６）の少なくとも部分的な領域において、前記付加層（４６）の前記対象物（２０）に対する接着力よりも大きくなるように、前記ラッカー層が設けられていることを特徴とする集合体（１０）。
【請求項１９】
前記安全保障すべき情報（１６）が、前記付加層（３２，４２，４６）上にインクジェットにより印刷されていることを特徴とする請求項１６−１８いずれか１項記載の集合体（１０）。
【請求項２０】
前記安全保障すべき情報（１６）が、前記付加層（３２，４２，４６）上に黒色で施されていることを特徴とする請求項１６−１９いずれか１項記載の集合体（１０）。
【請求項２１】
前記ラッカー層が紫外線硬化ラッカー（３４）で形成されていることを特徴とする請求項１６−１８いずれか１項記載の集合体（１０）。
【請求項２２】
前記安全保障すべき情報（１６）の下方に位置しているインク層（３６）は、単色インク層で形成されていることを特徴とする請求項１６−２１いずれか１項記載の集合体（１０）。
【請求項２３】
前記安全保障すべき情報（１６）の下方に位置しているインク層（３６）が、前記安全保障すべき情報（１６）と色彩を調和せしめられて、前記安全保障すべき情報（１６）とその下方に位置しているインク層（３６）との間に高いコントラストを生じさせていることを特徴とする請求項１６−２２いずれか１項記載の集合体（１０）。
【請求項２４】
前記第２のインク層（４４）が不規則な模様を有することを特徴とする請求項１８記載の集合体（１０）。
【請求項２５】
前記第２のインク層（４４）が、前記安全保障すべき情報（１６）に対応する特徴を有する贋の情報を含むことを特徴とする請求項１８または２４記載の集合体（１０）。
【請求項２６】
前記付加層（３２，４２，４６）の前記カバーステッカ（１４）に対する接着力が、前記付加層（３２，４２，４６）の前記対象物（２０）に対する接着力よりも大きいことを特徴とする請求項１６−２５いずれか１項記載の集合体（１０）。
【請求項２７】
前記付加層（３２，４２，４６）の前記カバーステッカ（１４）に対する接着力が、前記付加層（３２，４２，４６）の前記対象物（２０）に対する接着力よりも大きい領域と、前記付加層（３２，４２，４６）の前記カバーステッカ（１４）に対する接着力が、前記付加層（３２，４２，４６）の前記対象物（２０）に対する接着力よりも小さい領域とが前記付加層に存在することを特徴とする請求項１６−２５いずれか１項記載の集合体（１０）。
【請求項２８】
前記付加層（３２，４２，４６）の前記カバーステッカ（１４）に対する接着力が、前記付加層（３２，４２，４６）の前記対象物（２０）に対する接着力よりも大きい領域と、前記付加層（３２，４２，４６）の前記カバーステッカ（１４）に対する接着力が、前記付加層（３２，４２，４６）の前記対象物（２０）に対する接着力よりも小さい領域とが不規則構造を形成していることを特徴とする請求項２７記載の集合体（１０）。
【請求項２９】
前記付加層（４２）は、前記対象物に対する前記付加層の接着力が局部的に異なるように調整する手段（３８，４０）を備えていることを特徴とする請求項２７または２８記載の集合体（１０）。
【請求項３０】
前記対象物に対する前記付加層の接着力が局部的に異なるように調整する手段が、前記安全保障すべき情報（１６）と前記対象物（２０）との間において、該対象物（２０）に局部的に施された非付着性ラッカー（３８）を備えていることを特徴とする請求項２９記載の集合体（１０）。
【請求項３１】
前記対象物に対する前記付加層の接着力が局部的に異なるように調整する手段が、前記安全保障すべき情報（１６）と前記対象物（２０）との間において、該対象物（２０）に局部的に施された付着促進剤（４０）を備えていることを特徴とする請求項２９または３０記載の集合体（１０）。
【請求項３２】
前記対象物に対する前記付加層の接着力が局部的に異なるように調整する手段（３８，４０）が、印刷によって前記対象物（２０）に施されていることを特徴とする請求項２９から３１いずれか１項記載の集合体（１０）。
【請求項３３】
前記付加層（３２，４２，４６）が前記対象物（２０）上に印刷されたものであることを特徴とする請求項１６から３２いずれか１項記載の集合体（１０）。
【請求項３４】
前記付加層（３２，４２，４６）がオフセット印刷により前記対象物（２０）上に印刷されたものであることを特徴とする請求項３３記載の集合体（１０）。
【請求項３５】
前記安全保障すべき情報（１６）が数列であることを特徴とする請求項１６−３４いずれか１項記載の集合体（１０）。
【請求項３６】
前記集合体（１０）が有価書類であることを特徴とする請求項１６−３５いずれか１項記載の集合体（１０）。
【請求項３７】
前記カバーステッカ（１４）が接着性ラベルであることを特徴とする請求項１６−３６いずれか１項記載の集合体（１０）。
【請求項３８】
前記前記付加層（３２，４２，４６）が、前記安全保障すべき情報（１６）を含む情報区画（１２）の大きさで前記対象物（２０）上に形成されていることを特徴とする請求項１６−３７いずれか１項記載の集合体（１０）。
【請求項３９】
前記カバーステッカ（１４）が前記付加層よりも大きい底面を有することを特徴とする請求項１６−３８いずれか１項記載の集合体（１０）。
【請求項４０】
安全保障すべき情報（１６）を備えた集合体（１０）の製造方法であって、
ａ）前記情報を備えるべき対象物（２０）を提供し、
ｂ）該対象物（２０）に対して一様なまたは局部的に異なる第１の接着力をもってインク層（３０）を前記対象物（２０）上に直接的に施し、
ｃ）前記安全保障すべき情報（１６）を前記インク層（３０）に施し、
ｄ）前記対象物（２０）よりも小さい底面と、前記対象物（２０）に対する第２の接着力とを有する安全保障カバーステッカ（１４）をもって前記安全保障すべき情報（１６）を覆う、
各工程を含んでおり、
前記第２の接着力は、前記インク層（３０）の前記対象物（２０）に対する前記第１の接着力よりも前記インク層（３０）の少なくとも部分領域において大きいことを特徴とする、安全保障すべき情報（１６）を備えた集合体（１０）の製造方法。
【請求項４１】
前記工程ｂ）において、接着力を局部的に異ならす調整手段を前記対象物に施すことを特徴とする請求項４０記載の方法。
【請求項４２】
前記工程ｂ）において、前記インク層を印刷により施すことを特徴とする請求項２８ａまたは４１記載の方法。
【請求項４３】
前記工程ｃ）において前記安全保障すべき情報を前記インク層上にインクジェットにより印刷することを特徴とする請求項４０−４２いずれか１項記載の方法。
【請求項４４】
前記インク層を、前記安全保障すべき情報を含む情報区画の大きさで前記対象物に施すことを特徴とする請求項４０−４３いずれか１項記載の方法。
【請求項４５】
前記カバーステッカを、前記インク層よりも大きい底面を有するように選択することを特徴とする請求項４０−４４いずれか１項記載の方法。
【請求項４６】
安全保障すべき情報（１６）を備えた集合体（１０）の製造方法であって、
ａ）前記情報を備えるべき対象物（２０）を提供し、
ｂ）該対象物（２０）に対して一様なまたは局部的に異なる第１の接着力をもって付加層（３２）を施し、この場合、該付加層は、前記対象物（２０）上に直接的に配置されたラッカー層（３４）および該ラッカー層上に設けられたインク層（３６）を含み、
ｃ）前記安全保障すべき情報（１６）を前記付加層（３２）に施し、
ｄ）前記対象物（２０）よりも小さい底面と、前記対象物（２０）に対する第２の接着力とを有する安全保障カバーステッカ（１４）をもって前記安全保障すべき情報（１６）を覆う、
各工程を含んでおり、
前記第２の接着力は、前記付加層（３２）の前記対象物（２０）に対する前記第１の接着力よりも前記付加層（３２）の少なくとも部分領域において大きいことを特徴とする、安全保障すべき情報（１６）を備えた集合体（１０）の製造方法。
【請求項４７】
安全保障すべき情報（１６）を備えた集合体（１０）の製造方法であって、
ａ）前記情報を備えるべき対象物（２０）を提供し、
ｂ）該対象物（２０）に対して一様なまたは局部的に異なる第１の接着力をもって付加層（４２）を施し、この場合、該付加層は、前記対象物（２０）上に直接的に配置された接着促進層（４０）および該接着促進層上に設けられたインク層（３６）を含み、
ｃ）前記安全保障すべき情報（１６）を前記付加層（４２）に施し、
ｄ）前記対象物（２０）よりも小さい底面と、前記対象物（２０）に対する第２の接着力とを有する安全保障カバーステッカ（１４）をもって前記安全保障すべき情報（１６）を覆う、
各工程を含んでおり、
前記第２の接着力は、前記付加層（４２）の前記対象物（２０）に対する前記第１の接着力よりも前記付加層（４２）の少なくとも部分領域において大きいことを特徴とする、安全保障すべき情報（１６）を備えた集合体（１０）の製造方法。
【請求項４８】
安全保障すべき情報（１６）を備えた集合体（１０）の製造方法であって、
ａ）前記情報を備えるべき対象物（２０）を提供し、
ｂ）該対象物（２０）に対して一様なまたは局部的に異なる第１の接着力をもって付加層（４６）を施し、この場合、該付加層は、前記対象物（２０）上に直接的に配置されたラッカー層（３４）と、該ラッカー層上に配置された第２インク層（４４）と、該第２インク層上に配置された第１インク層（３６）とを含み、
ｃ）前記安全保障すべき情報（１６）を前記付加層（４６）に施し、
ｄ）前記対象物（２０）よりも小さい底面と、前記対象物（２０）に対する第２の接着力とを有する安全保障カバーステッカ（１４）をもって前記安全保障すべき情報（１６）を覆う、
各工程を含んでおり、
前記第２の接着力は、前記付加層（４６）の前記対象物（２０）に対する前記第１の接着力よりも前記付加層（４６）の少なくとも部分領域において大きいことを特徴とする、安全保障すべき情報（１６）を備えた集合体（１０）の製造方法。
【請求項４９】
前記工程ｂ）において、
ｂ１）前記対象物に対する前記付加層の接着力を調整するラッカー層を、前記対象物に施し、
ｂ２）前記ラッカー層にインク層を施すことを特徴とする請求項４６−４８いずれか１項記載の方法。
【請求項５０】
ｂ３）前記第２インク層に対し、異なる色彩および／または異なる模様の前記１第インク層を施す工程を含むことを特徴とする請求項４８記載の方法。
【請求項５１】
前記工程ｂ）において、接着力を局部的に異ならす調整手段を前記対象物に施すことを特徴とする請求項４６−５０いずれか１項記載の方法。
【請求項５２】
前記工程ｂ）において、前記付加層を印刷により施すことを特徴とする請求項４６−５１いずれか１項記載の方法。
【請求項５３】
前記工程ｃ）において前記安全保障すべき情報を前記付加層上にインクジェットにより印刷することを特徴とする請求項４６−５２いずれか１項記載の方法。
【請求項５４】
前記付加層を、前記安全保障すべき情報を含む情報区画の大きさで前記対象物に施すことを特徴とする請求項４６−５３いずれか１項記載の方法。
【請求項５５】
前記カバーステッカを、前記付加層よりも大きい底面を有するように選択することを特徴とする請求項４６−５４いずれか１項記載の方法。
【発明の詳細な説明】
【技術分野】
【０００１】
本発明は、安全保障すべき情報と安全保障用カバーステッカとを備えた対象物に関し、特に、コーディング、識別番号、暗証番号等の安全保障すべき情報とこの安全保障すべき情報を覆う安全保障用カバーステッカとを備えた対象物に関するものである。本発明はさらにかかる対象物の製造方法ならびに対象物に安全保障的にマーキングを施す方法に関するものである。
【背景技術】
【０００２】
銀行カードまたはクレジットカード、プリペイド式テレホンカード等のような有価書類上の秘密の番号、暗証番号またはその他の識別番号を覆うために安全保障用カバーステッカを用いることは公知である。上記カバーステッカは、不透明なスクラッチラベルとして形成されることが多く、このスクラッチラベルは、擦ることによって剥ぎ取ることができ、これによってその下に記されている情報を露出させることができる。上記情報は重大な価値を表すことが多いので、不法なユーザーによる悪用を困難にするかまたは防止するために、あるいは少なくとも一度でも不法操作しようとすればその痕跡が残るようにする多くの対策が提案されている。さもないと、例えば識別番号を組み込んだプリペイド式テレホンカードが不法なユーザーによって使用され、無価値になったことが認識されないカードが再び販売されてしまう可能性がある。
【０００３】
特許文献１には、コーディング、識別番号等のための安全保障用カバーとしての自己接着性層を備えたフィルム素子が記載され、このフィルム素子は収縮性フィルム、すなわち低温では伸びている熱可塑性フィルムである。このフィルムを熱によって剥がそうとすると、フィルムは不可逆的に収縮し、不法操作しようとしたことが明らかになる。
【０００４】
特許文献２には、アクセスコードをスクラッチラベルで覆ったプリペイド式テレホンカードが提案され、このスクラッチラベルは、透明なベース層と、このベース層上に設けられた擦り取りが容易な複数の不透明なカバー層とを備えている。ベース層は多数の安全保障用スリットを備え、これらスリットはベース層がカバー層とともに一体で剥ぎ取られるのを防止する。と言うよりはむしろ、スクラッチラベルを剥がそうとするとベース層が安全保障用スリットに沿って裂けてベース層がバラバラになり、不法操作しようとしたことが明らかになる。
【０００５】
提案されている公知の解決策の欠点は、従来の安全保障用ラベルは剥がすことが比較的容易であり、あるいは例えばメスを用いると、無傷のまま対象物から取り除くことができることである。安全保障された識別番号の不正な読取りにより重大な経済的損失を招来する可能性がある。さらに、不正行為が成功するとユーザーの支持と信用を損なうことになる。
【特許文献１】独国特許第１９９ ６２ ６３８ Ａ１号明細書
【特許文献２】英国特許第２ ３５５ ４３１ Ａ 号明細書
【発明の開示】
【発明が解決しようとする課題】
【０００６】
したがって、本発明が解決しようとする課題は、不法操作に対する安全保障性を向上させた、上述した種類の安全保障すべき情報を備えた対象物を提供することにある。
【課題を解決するための手段】
【０００７】
上記課題は、主請求項に記載された特徴を備えた対象物によって解決される。このような対象物の製造方法および対象物に付されたマーキングを安全保障する方法は独立請求項の主題である。本発明の展開は従属請求項の主題である。
【０００８】
本発明によれば、上記対象物および安全保障すべき情報は、それら間に１層の付加層を備え、カバーステッカに対するこの付加層の接着力が、少なくとも部分的な領域において、対象物に対する付加層の接着力よりも大きい。この対策は、付加層の対象物に対する接着力とカバーステッカに対する接着力とが異なることにより、カバーステッカを剥ぎ取っても、安全保障すべき情報は見えない状態または判読不能な状態に保たれるので、不法操作に対する安全保障性を著しく向上させる。本発明による解決策はさらに、付加層を印刷によって正確に作成することができるので、カード本体の製造において既に使用されている機器を利用することが可能になり、極めて経済的な対象物の安全保障が可能になる。それ以外の技術的な装置も機器も手の込んだ追加の工程も必要としない。
【０００９】
このように本発明は、カバーステッカの構造の改良に取り組むことによってのみでなく、対象物と安全保障すべき情報との間の付加層を通じて、接着されたカバーの開封を困難にすることによって、あるいは一度でも不法操作しようとするとそのことを明らかにすることによって、安全保障性を向上させるという着想に基づくものである。
【００１０】
安全保障すべき情報は上記付加層上にインクジェットによって印刷されることが好ましく、特に付加層に黒色で施されることが好ましい。
【００１１】
本発明の好ましい実施の形態によれば、付加層がいずれかの色のインク層、好ましくは白色のインク層で形成される。少なくとも局部的な領域において、付加層がカバーステッカに対してより強く接着されているので、カバーステッカを剥がそうとすると、インク層の一部または全部でさえもカバーステッカに付着する。安全保障すべき情報は、インク層とカバーステッカとの間に見えないようにあるいは判読不能なように封じ込まれ、不法な読取りを不可能にする。
【００１２】
もしカバーステッカが剥がされた後に対象物に再び貼付けられるとすると、場合によってはステッカを擦り取ることによって、安全保障すべき情報が見えるようになって判読可能になる。そうすると、不正操作が行なわれたにも拘わらず、対象物は規定どおりに使用可能になる。封印破りをしても、資格のない人には関連情報がアクセス可能にならないので、使用可能性があっても損害を生じることはない。
【００１３】
しかしながら、付加層の一部がカバーステッカとともに剥がされる場合には、対象物上に残る情報の破片にそれを正確かつ見当を合わせて貼り付けることは不可能である。したがって、不正操作の試みが擦り取りの際に明らかになり、状況次第で損害賠償を請求したり公表したりすることができる。この場合、不正操作の試みで剥ぎ取られたカバーステッカが、安全保障すべき情報が擦り取り後判読不能になる程度にずれたり捩れたりした状態で貼り付けられることが起こり得る。この判読不能な情報は、封印破りと、持ち主がその情報を知ることが不可能であったことの証拠になり、損害賠償請求が可能になったり対象物の交換が問題なく行なわれるようになる。
【００１４】
本発明の別の実施の形態によれば、上記付加層は、少なくとも１層のインク層と、対象物とインク層との間に配置されたさらにもう１層のインク層またはラッカー層からなる多層積層体によって形成される。ラッカー層は、特に紫外線硬化ラッカーによって形成することができる。この部分は、剥がされたカバーステッカ上にある情報の一部を判読可能になるのを阻止するために、インク層が適正な不透明性を保つように構成することを可能にする。対象物上の付加層の接着性は、付加されたインク層またはラッカー層の助けを借りて独立的に調整することができる。この結果はすべて付加層に関する極めて融通性に富んだ選択が可能になる。
【００１５】
上述した双方の実施の形態において、安全保障すべき情報の下方に配置されたインク層は、単色インク層によって形成することができる。上記インク層の色は、安全保障すべき情報とその下方に配置されたインク層との間に高いコントラストを生じさせ、かくしてカバーステッカを擦り取った後に良好な判読性を得るために、安全保障すべき情報の色と調和させることができる。それと同時に、インク層は、ステッカとともに剥ぎ取られた情報を、それが見えないように、あるいは判読不能なように覆わなければならない。
【００１６】
後者の実施の形態の好ましい展開によれば、上記多層積層体はさらに、ラッカー層と、安全保障すべき情報の下方に配置された第１のインク層との間に、第２のインク層を備えている。この第２のインク層は、不規則な模様を有することができ、かつ安全保障すべき情報に対応する文字が贋の情報を含むことができる。
【００１７】
この構成においては、第１のインク層は本質的に、カバーステッカが擦り取られた後の情報の判読性を向上させる機能を有する。これに対して、第２のインク層は、カバーステッカが不法に剥がされたときにのみ現れる。例えば、この第２のインク層は、不規則な帯状模様または波状模様を含むことができる。また、例えば無効な数列のような贋の情報が不法な操作者の開封の成功を誤らすこともできる。贋の情報の模様または特徴の性質は、安全保障すべき情報の特徴または性質にうまく同調せしめられることは明らかである。
【００１８】
本発明の好ましい実施の形態によれば、付加層のカバーステッカに対する接着力は、付加層の対象物に対する接着力よりも大きい。カバーステッカを剥がすと、付加層全体が本質的に剥がれて、安全保障すべき情報は付加層自体とカバーステッカとの間に、見えないように閉じ込められる。
【００１９】
あるいは、第１の領域においては、付加層のカバーステッカに対する接着力が、付加層の対象物に対する接着力よりも大きいが、第２の領域においては、付加層のカバーステッカに対する接着力が、付加層の対象物に対する接着力よりも小さいように構成することもできる。カバーステッカを剥がすと、第１の領域に配置されている情報部分はステッカ上に残るが、第２の領域に配置されている情報部分は対象物上に残る。二つの領域に分離されるために、剥がされた後、安全保障すべき情報はもはや解読不能である。
【００２０】
第１および第２の領域の大きさ及び形状は、カバーステッカの剥取り後は安全保障すべき情報がもはや解読不能になるように、安全保障すべき情報に都合良く調和せしめられる。第１および第２の領域は、安全保障すべき情報がカバーステッカの剥取りによって、多数の小領域に分割されるように、微細構造を形成することが有利である。例えば、上記微細構造の大きさは、数字または文字の大きく繋がった部分が識別可能に残ることがないように、数列または文言の場合に字母の線幅に対応させることができる。これに関連して、第１および第２の領域が不規則な構造を形成していることも同様に好ましい。これによって、対象物上に残る情報部分の判読性がさらに低下する。
【００２１】
有利な実施の形態によれば、上記付加層が、接着力を局部的に異なるように調整する手段を備えている。この手段は、安全保障すべき情報と対象物との間に局部的に施された非付着性ラッカーおよび／または接着促進剤を含むことができる。上記接着力を局部的に異なるように調整する手段は、印刷により対象物上に施されることが好ましい。付加層はオフセット印刷により印刷されることが好ましい。
【００２２】
対象物の特に経済的な安全保障を実現するためには、付加層が、そのすべての随意的な層とともに対象物上に印刷されることが好ましい。付加層はオフセット印刷により印刷されることが好ましい。
【００２３】
もし付加層がインク層を含む場合には、使用するインクはオフセットインク、特に紫外線硬化インクであることが好ましい。このオフセットインクの主成分は、色素としての通常の顔料と、バインダとしてのアクリル樹脂のようなプレポリマー樹脂と光重合剤である。
【００２４】
安全保障すべき情報は、特に秘密の番号または暗証番号のような数列とすることができる。対象物は、例えば有価書類、特に銀行カード、クレジットカード、テレホンカードのようなプリペイドカード、または富くじ券である。
【００２５】
用いられるカバーステッカは、従来から知られている接着性ラベルの何れであってもよい。特に、カバーステッカは、通常少なくとも透明な担体と擦り取りカバー層とからなるスクラッチラベルとすることができる。
【００２６】
コーディング、識別番号、暗証番号等のような、安全保障すべき情報を備えた対象物を製造するためには、上記情報を備えるべき対象物が提供され、対象物に対して一様な、または局部的に異なる第１の接着力を備えた第１の層を有する付加層が上記対象物に施され、上記安全保障すべき情報が上記付加層に施され、上記安全保障すべき情報に対し、少なくとも部分的領域において上記付加層の上記対象物に対する第１の接着力よりも大きい第２の接着力を有する安全保障用カバーステッカをもって上記安全保障すべき情報が覆われる。
【００２７】
上述のように、１層のインク層が付加層として施される。あるいは、対象物に対する第１の接着力を調整するラッカー層が最初に対象物に施され、次いでインク層がラッカー層に施されてもよい。
【００２８】
また、現存するインク層に対し、別の色彩および／または別の模様のさらなるインク層を施すようにすることもできる。付加層を施す際には、接着力が局部的に異なるように調整する手段、特に、非付着性ラッカーおよび／または接着促進剤を対象物に局部的に施すこともできる。
【００２９】
付加層の諸層は好ましくはオフセット印刷によって印刷されることが好ましい。また、安全保障すべき情報は、インクジェットによって付加層上に印刷されることが好ましい。
【００３０】
本発明はさらに、対象物に安全保障的にマーキングを施す方法を含み、これによって、対象物に対して一様なまたは局部的に異なる第１の接着力を有する付加層が対象物に施され、上記マーキングが付加層に施され、かつ上記マーキングが、付加層に対して第２の接着力を有する安全保障用カバーステッカをもって覆われ、上記第２の接着力は、少なくとも部分領域において付加層の対象物に対する第１の接着力よりも大きい。付加層の製造および上記マーキングを設けることは、上述した、安全保障すべき情報を備えた対象物の製造と同様に実行することができる。
【００３１】
さらなる実施の形態および本発明の利点は、図面を参照して下記に説明されている。図中に示された比率は必ずしも実在物に対応するものではなく、主として分り易さの改善に資するものである。
【発明を実施するための最良の形態】
【００３２】
以下本発明を、プリペイド式テレホンカードの実施例によって詳細に説明する。図１は、数字区画１２と、この数字区画１２上に貼付されたスクラッチラベル１４とを備えたテレホンカード１０の概略図を示す。数字区画１２上には数列１６が印刷されているが、この数列１６は、スクラッチラベル１４が貼付されると見えなくなるので、図１では破線で示されている。テレホンカード１０は、図１には示されていないが、数字区画１２の外側には、デザイン印刷、例えば広告印刷が施され、あるいはテレホンカードの使用方法が印刷されている。
【００３３】
スクラッチラベル１４の擦り取ることができる層は、尖った物か指の爪で擦り取ることができ、これによってその下にある数列１６が露出する。スクラッチラベル１４が簡単に剥がされたり、再び貼付されたりするのを防止するために、スクラッチラベル１４が剥がされるときに裂ける多数の安全保障用スリット１８が設けられている。かくして、スクラッチラベル１４を剥がそうとする試みは明らかに妨げられる。
【００３４】
スクラッチラベル１４の安全保障用スリット１８に加えて、テレホンカード１０は、印刷された数列１６の下に付加層を備えて、不法な操作に対する安全保障性を向上させており、この付加層については、図２〜図５を参照した好ましい実施の形態に基づいて詳細に説明する。図２〜図５は、テレホンカード１０の図１のＡ−Ａ線に沿った層構造を示す断面図である。
【００３５】
図２に示された実施の形態によれば、テレホンカード１０は、紙、プラスチックまたは多層基板で構成することが可能なカード担体２２を備えたカード本体２０を有する。カード本体２０には、数列１６の領域内に数字区画１２を形成する白抜き部を有するデザイン印刷層２４がオフセット印刷により付加されている。
【００３６】
デザイン印刷層２４および後述する付加層の性質によっては、上記白抜き部を省略してデザイン印刷層２４が連続するように構成することも可能である。デザイン印刷層２４上には、保護層としての透明な紫外線硬化ラッカー層２６が印刷されている。紫外線硬化ラッカー層２６も、数字区画１２の領域におけると同様の白抜き部を備えて、基板面に対し次に印刷される層の良好な接着性を確保することもできる。
【００３７】
図２の実施の形態において、紫外線硬化ラッカー層２６の上には、数字区画１２の大きさに対応する大きさを有する白インク層３０がオフセット印刷により形成されている。上記数列１６は、インクジェットにより白インク層３０上に印刷され、数字区画１２および印刷された数列１６は、その上に貼付されたスクラッチラベル１４によって覆われている。
【００３８】
インク層３０のスクラッチラベル１４に対する接着力は、少なくとも部分的にインク層３０のカード本体２０に対する接着力よりも大きい。したがって、例えばメスを用いてスクラッチラベル１４を剥ぎ取ることを試みると、インク層３０の少なくとも一部がラベル１４上に残って一緒に取れてしまい、ももはや判読不能な数列１６の破片のみが数字区画１２に残る。それと同時に、スクラッチラベル１４に貼り付いた白インク層３０が、インク層３０とラベル１４との間に封じ込まれた数列１６の一部の判読を阻止する。かくして、テレホンカード１０に蓄積されている金額残高を不正操作によって引き出すことは不可能になる。
【００３９】
もしスクラッチラベル１４が剥がされた後にカード本体２０上に再貼付されたとすると、左右が合っているか左右が逆になっているかのいずれかである。次いでラベル１４が擦り取られるときに二通りの可能性がある。すなわち、
（１）数列１６がなおも読取り可能な場合。もしラベル１４が左右は合っていても僅かにずれている状態で再貼付されているとすれば、あるいはもしインク層３０のすべてがラベル１４に貼り付いるとすれば、この事態が生じ得る。テレホンカード１０の金額残高は依然として利用可能である。しかしながら、数列が二つに分離していると、カード本体２０上に残っている情報の破片上にラベルを正確かつ見当を合わせて貼り付けることは不可能になり、その結果、擦り取り後に不正操作が明らかになり、場合によっては損害賠償請求が可能になる。
【００４０】
（２）数列１６がもはや読取り不能な場合。もしラベル１４が左右逆にあるいは大きくずれて貼り付けられているとすれば、この事態が生じ得る。判読不能な情報は、第１に不正操作の、第２に持ち主が金額残高を利用することが不可能であった事実の証拠となる。したがって、損害賠償請求またはカードの交換が可能になる。
【００４１】
図３の実施の形態は、付加層の構成においてのみ図２の実施の形態と異なるが、カード本体２０、数列１６およびスクラッチラベル１４は上述と同様に形成される。図３によれば、数列１６とカード本体２０との間に付加層３２が配置されており、この付加層３２は、カード本体２０上に印刷された例えば紫外線硬化ラッカー層であるラッカー層３４と、このラッカー層上に印刷されたインク層３６からなる。
【００４２】
上記ラッカー層３４は、スクラッチラベル１４に対する付加層３２の接着力が、少なくとも部分的な領域において、カード本体２０に対する付加層３２の接着力よりも大きくなるように、カード本体２０に対する付加層３２の接着力を調整することを可能にする。上記インク層３６は、一方で数列１６のためのベース面として機能し、他方で、スクラッチラベル１４とともに剥ぎ取られる数列１６の一部が読み取られるのを阻止する。この付加層３２の二層構造は、同時にインク層３６の外観のコントラストおよび不透明性を最適化しながら、付加層３２とカード本体２０との間の接着特性の精密な調整を可能にする。
【００４３】
図４の実施の形態においては、カード本体２０に対し非付着性ラッカー３８が所々に施されて、その場所における付加層４２の接着力を低減している。この非付着性ラッカー３８上には、非付着性ラッカー３８の無い場所において付加層４２をカード本体２０にしっかりと連結する接着促進層４０が印刷されている。かくして、付加層４２においては、ラベル１４の剥取り時に分離される、カード本体２０に対する接着力の異なる二つの領域が生じている。
【００４４】
非付着性ラッカー３８を備えた場所の上にある付加層４２の第１の領域は、ラベル１４の剥取り時に、上にある数列１６の一部とともに剥ぎ取られる。他の場所にある第２の領域はカード本体２０上に残る。これら第１および第２の領域の大きさおよび形状は、カード本体２０上に残る情報部分がもはや判読不能なことを保障するために、この場合は数列である安全保障すべき情報に調和せしめられる。例えば、非付着性ラッカーは、密に近接した不規則形状の湾曲した形状に印刷される。
【００４５】
本発明のさらなる実施の形態が図５に示されている。この構成においては、数列１６の下に配置された第１のインク層３６および接着力を調整するためにカード本体２０上に印刷されたラッカー層３４のみでなく、第１のインク層３６とラッカー層３４との間に配置された第２のインク層４４を有する。第１のインク層３６の色彩は、数列１６の良好な判読可能性を得るために選択されるが、第２のインク層４４は、ラベル１４の剥取り後、ラベル１４に付着した数列１６の一部を判読不能にすることに寄与する。この目的のために、本実施の形態においては、第２のインク層４４が不規則な曲がった模様の微細構造を有する。また第２のインク層４４は、不法操作者による干渉の成功を阻止するために、無効の数列の形態の贋情報を備えることもできる。図５の２層のインク層４４，３６も、非付着性ラッカー／接着促進剤構造の組み合わせとすることができる。
【図面の簡単な説明】
【００４６】
【図１】本発明の一実施の形態の形態による、スクラッチラベルを貼り付けられた有    価カードを示す概略図である。
【図２】本発明の他の実施の形態の形態による、スクラッチラベルを貼り付けられた有価カードを断面図で示す概略図ある。
【図３】本発明の他の実施の形態の形態による、スクラッチラベルを貼り付けられた有価カードを断面図で示す概略図ある。
【図４】本発明の他の実施の形態の形態による、スクラッチラベルを貼り付けられた有価カードを断面図で示す概略図ある。
【図５】本発明の他の実施の形態の形態による、スクラッチラベルを貼り付けられた有価カードを断面図で示す概略図ある。
【符号の説明】
【００４７】
１０    テレホンカード
１２    数字区画
１４    スクラッチラベル
１６    数列
１８    スリット
２０    カード本体
２２    カード担体
２４    デザイン印刷層
２６，３４    ラッカー層
３０，３６，４４    インク層
３２    付加層
３８    非付着性ラッカー層
４０    接着促進層
【図１】
0004444115.tif 000002
【図２】
0004444115.tif 000003
【図３】
0004444115.tif 000004
【図４】
0004444115.tif 000005
【図５】
0004444115.tif 000006